(57)【要約】【課題】ベルトループがベルトの折り返し部により引っ張られて歪んでも、外部からはその歪みがほとんど見えないような、バックルを使用しないベルトを提供する。【解決手段】ベルト本体（２）と、この本体の両末端に設けた折り返し部（３）と、この折り返し部（３）を開閉可能に接合する接合部材（３１）を有する、バックルを使用しないベルトである。前記折り返し部（３）の、折り返し状態における先端（３２）から前記接合部材（３１）の間に第１固定部（３３）を設けたことを特徴とする。【選択図】図４
0003167731.tif 000002
【実用新案登録請求の範囲】
【請求項１】
ベルト本体（２）と、この本体の両末端に設けた折り返し部（３）と、この折り返し部（３）を開閉可能に接合する接合部材（３１）を有する、バックルを使用しないベルトであって、
前記折り返し部（３）の、折り返し状態における先端（３２）から前記接合部材（３１）の間に第１固定部（３３）を設けたことを特徴とするバックルを使用しないベルト。
【請求項２】
前記折り返し部の、折り返し状態における先端と前記第１固定部（３３）の間に第２固定部（３４）を設けた請求項１記載のベルト。
【請求項３】
前記第１固定部（３３）を前記折り返し部の、折り返し状態における先端（３２）から５ｍｍ〜２０ｍｍの間に設けた請求項１または２記載のベルト。
【請求項４】
前記第１固定部（３３）が前記折り返し部（３）の幅方向全体に亘る縫い糸の糸目である請求項１〜３のいずれかに記載のベルト。
【請求項５】
前記接合部材は雌雄ボタンである請求項１〜４のいずれかに記載のベルト。
【考案の詳細な説明】
【技術分野】
【０００１】
本考案は、バックルを使用しないベルトに関する。
【背景技術】
【０００２】
ズボン類に使用されるベルトは、周知のように、開閉部にバックルを使用するタイプが大部分である。このようなベルトは、ズボン類の上げ下ろしや開閉の際にベルトを緩めたり締めたり、ベルトをバックルに通したり外したりする操作が必要である。しかし、低年齢の児童や老人にとってはかなり面倒であって、介添えを必要とする場合もある。
【０００３】
こうした問題を解決するため前面部にバックルを取り付けないでウエスト調整を行なえるようにしたウエスト調整ベルトが提案されている。たとえば、実用新案登録第３０８８５９２号、特開２００２−２６６１３９、実用新案登録第３１６３６１１号などである。これらは、ベルト本体の両端に折り返し部を設け、その部分で開閉可能としている。この折り返し部を開放させた状態でズボン類のベルトループを収納し、その後折り返し部を閉鎖することにより、ベルトループの収納状態を維持するものである。
【考案の概要】
【考案が解決しようとする課題】
【０００４】
前記従来技術のベルトを使用すると、添付の図４（ｂ）に示すように、ベルトループ４１がこのベルトの折り返し部３Ｘにより引っ張られて大きく歪む。使用には通常、差し障りはないが、見栄えが悪くなる。
【０００５】
本考案はこの問題を解決するために行われたもので、ベルトループがベルトの折り返し部により引っ張られて歪んでも、図４（ａ）に示すように、外部からはその歪みがほとんど見えないような、バックルを使用しないベルトを提供することを目的とする。
【課題を解決するための手段】
【０００６】
本考案は、本体と、この本体の両末端に設けた折り返し部と、この折り返し部を開閉可能に接合する接合部材を有する、バックルを使用しないベルトであって、前記折り返し部の、折り返し状態における先端から前記接合部材の間に第１固定部を設けたことを特徴とする（請求項１）。
【０００７】
さらに好ましくは、前記折り返し部の、折り返し状態における先端と前記第１固定部の間に第２固定部を設ける（請求項２）。
【０００８】
好ましくは、前記第１固定部は前記折り返し部の、折り返し状態における先端から５ｍｍ〜２０ｍｍ、好ましくは１０〜１５ｍｍの間に設ける（請求項３）。
【０００９】
好ましくは、前記第１固定部は前記折り返し部の幅方向全体に亘る縫い糸の糸目である（請求項４）。そのほか、前記折り返し部の幅方向にリベットなどで数カ所固定することもできる。
【００１０】
好ましくは、前記接合部材は雌雄ボタンである（請求項５）。ボタンの代わりに面ファスナーその他のファスナーを使用してもよい。
【考案の効果】
【００１１】
請求項１の考案によれば、着用者の動きにより折り返し部が長手方向中央に向かって引っ張られても、ベルトループは第１固定部に接触しその位置で留まり、折り返し部の幅全体にわたって保持される。ベルトループは歪んでも折り返し部で隠されて外部からはほとんど見えない。そのため、本考案のベルトは見栄えがよい。
【００１２】
請求項２の考案によれば、第２固定部を設けることにより、前記折り返し部の、折り返し状態における先端と前記第１固定部の間がふくらまないので、使いやすく、見栄えがよい。
【００１３】
請求項３及び４の考案によれば、ベルトループの歪みが最も小さくなるので好ましい。
【図面の簡単な説明】
【００１４】
【図１】本考案第１実施例のベルトの使用状態を示す斜視図である。
【図２】本考案第１実施例のベルトの（ａ）正面図、（ｂ）側面図、（ｃ）背面図、（ｄ）左側面図、（ｅ）右側面図である。
【図３】図２（ｂ）の矢視断面図である。
【図４】（ａ）本考案と（ｂ）従来例を比較する正面拡大図である。
【図５】本考案第２実施例のベルトの（ａ）正面図、（ｂ）側面図、（ｃ）背面図、（ｄ）左側面図、（ｅ）右側面図である。
【考案を実施するための形態】
【００１５】
以下、添付の図面に基づき、本考案の実施例を説明する。
【実施例１】
【００１６】
図１に示すように、本考案のベルト１も、バックルを使用しない従来技術と同様に、ベルト本体２の両端に折り返し部３を設け、その部分で開閉可能としている。この折り返し部３を開放させた状態でズボン類４のベルトループ４１を収納し、その後折り返し部３を閉鎖することにより、ベルトループ４１の収納状態を維持するものである。
【００１７】
図２を参照してさらに詳細に見ると、ベルト本体２は伸縮性を有する織物又は編物製であり、着用者の前面を除く腰回りに装着される長さを有する。使用者の個人差に対応するために、ベルト本体２には長さ調節具２１を設けるのが普通である。
【００１８】
ベルト本体２の両末端には折り返し部３が設けられている。折り返し部３はベルト本体２と一体化させてもよいが、この実施例では、別部材を使用している。折り返し部３は皮革製とすることが、強度を持たせると共に、見栄えの上で好ましい。
【００１９】
折り返し部３は開閉する必要があるので、開閉用の雌雄ボタン３１が折り返し部の上下に設けられている。ボタンの代わりに面ファスナーその他のファスナーを使用してもよい。
【００２０】
折り返し部３の折り返し先端３２は先細になっており、その先端から約１ｃｍの位置に縫い糸で折り返し部を幅方向に縫合した第１固定部３３を形成している。この実施例ではさらに前記先端から約３ｍｍの位置にも幅方向に縫合した第２固定部３４を形成している。第１，第２固定部３３，３４は、縫い糸で幅方向全体にわたって設けるのが好ましいが、幅方向にリベットなどで数カ所固定することもできる。
【００２１】
使用時には、まず、このボタン３１を外し、折り返し部３を開放する。このときも第１固定部３３の糸目のために折り返し部先端３２と第１固定部３３の間は開放されない。続いて第１固定部３３とボタン３１取付位置との間にズボン等のベルトループ４１を配置した上で、ボタン３１を閉じて、折り返し部３を閉鎖する（図４（ａ）参照）。
【００２２】
図４（ａ）の状態では、着用者の動きにより折り返し部３が長手方向中央に向かって引っ張られても、ベルトループ４１は第１固定部３３に接触しその位置で留まり、折り返し部の幅全体にわたって保持される。ベルトループ４１は歪んでも、折り返し部で隠されて外部からはほとんど見えない。そのため、本考案のベルトは見栄えがよくなり、外観が向上する。
【００２３】
それに対して、従来例を示す図４（ｂ）では、第１固定部に相当するものがないので、折り返し部３Ｘが引っ張られると、直接的にベルトループ４１が引っ張られて、大きく歪む。
【実施例２】
【００２４】
図５は本考案の第２実施例である。第１実施例との相違点は、第２固定部がないことだけである。第１実施例の符号に「Ａ」を付して説明を省略する。
【符号の説明】
【００２５】
１     ベルト
２     ベルト本体
２１   長さ調節具
３     折り返し部
３１   ボタン
３２   先端
３２   部先端
３３   第１固定部
３４   第２固定部
４     ズボン類
４１   ベルトループ
【先行技術文献】
【特許文献】
【００２６】
【特許文献１】実用新案登録第３０８８５９２号
【特許文献２】特開２００２−２６６１３９
【特許文献３】実用新案登録第３１６３６１１号
【図１】
0003167731.tif 000003
【図２】
0003167731.tif 000004
【図３】
0003167731.tif 000005
【図４】
0003167731.tif 000006
【図５】
0003167731.tif 000007